(57)【要約】      （修正有）【課題】全ての消費者が湾曲したディスプレイを好む訳ではない。【解決手段】フレキシブルディスプレイと、フレキシブルディスプレイに結合された電気活性層を含み、電気活性層における形状変化は、フレキシブルディスプレイにおける形状変化を生じさせるよう構成される。【選択図】図５
2020173475.tif 000002
【特許請求の範囲】
【請求項１】
フレキシブルディスプレイと、
前記フレキシブルディスプレイに結合された電気活性層と、
条件に基づいて前記フレキシブルディスプレイの形状変化を生じさせる手段と、を備え、
前記電気活性層における形状変化が、前記フレキシブルディスプレイの形状変化を生じさせ、
前記条件は、前記フレキシブルディスプレイに表示される画像コンテンツを含む、
装置。
【請求項２】
フレキシブルディスプレイと、
前記フレキシブルディスプレイに結合された電気活性層と、
条件に基づいて前記フレキシブルディスプレイの形状変化を生じさせる手段と、を備え、
前記電気活性層における形状変化が、前記フレキシブルディスプレイの形状変化を生じさせ、
前記条件は、前記フレキシブルディスプレイが配置される環境を示すコンテキストデータを含む、
装置。
【請求項３】
前記コンテキストデータは、日時、場所、温度および環境光レベルのうち１つを含む、請求項２に記載の装置。
【請求項４】
前記条件は１又は複数のユーザ設定を含む、
請求項１から３の何れか１つに記載の装置。
【請求項５】
前記１又は複数のユーザ設定は所与のユーザプロファイルと関連するユーザ選好を備える、
請求項４に記載の装置。
【請求項６】
前記電気活性層の１又は複数の特性は、異なるレベルの電気力に基づき複数の湾曲を生じさせる、
請求項１から５のいずれか一項に記載の装置。
【請求項７】
前記電気活性層の前記１又は複数の特性は複数のセクションを含む、
請求項６に記載の装置。
【請求項８】
前記複数のセクションのうち少なくとも２つは、異なるレベルの電気力を受ける、
請求項７に記載の装置。
【請求項９】
複数の湾曲を含む前記フレキシブルディスプレイの形状は、前記複数のセクションのうち少なくとも２つに対する前記異なるレベルの電気力を受けることにより生じる、
請求項８に記載の装置。
【請求項１０】
フレキシブルディスプレイと、前記フレキシブルディスプレイに結合された電気活性層とを備え、前記電気活性層の形状変化が前記フレキシブルディスプレイの形状変化を生じさせる装置としてコンピュータを機能させるためのプログラムであって、
条件に基づき、前記フレキシブルディスプレイの形状変化を生じさせる手順を前記コンピュータに実行させ、
前記条件は、前記フレキシブルディスプレイに表示される画像コンテンツを含む、プログラム。
【請求項１１】
フレキシブルディスプレイと、前記フレキシブルディスプレイに結合された電気活性層とを備え、前記電気活性層の形状変化が前記フレキシブルディスプレイの形状変化を生じさせる装置としてコンピュータを機能させるためのプログラムであって、
条件に基づき、前記フレキシブルディスプレイの形状変化を生じさせる手順を前記コンピュータに実行させ、
前記条件は、前記フレキシブルディスプレイが配置される環境を示すコンテキストデータを含む、プログラム。
【請求項１２】
前記コンテキストデータは、日時、場所、温度および環境光レベルのうち１つを含む、請求項１１に記載のプログラム。
【請求項１３】
前記条件が１又は複数のユーザ設定を含む、
請求項１０から１２の何れか１つに記載のプログラム。
【請求項１４】
前記１又は複数のユーザ設定は、所与のユーザプロファイルと関連するユーザ選好を含む、
請求項１３に記載のプログラム。
【請求項１５】
前記電気活性層の１又は複数の特性は、異なるレベルの電気力に基づき複数の湾曲を生じさせる、
請求項１０から１４のいずれか一項に記載のプログラム。
【請求項１６】
前記電気活性層の前記１又は複数の特性は、複数のセクションを含む、
請求項１５に記載のプログラム。
【請求項１７】
前記複数のセクションのうち少なくとも２つは、異なるレベルの電気力を受ける、
請求項１６に記載のプログラム。
【請求項１８】
複数の湾曲を含む前記フレキシブルディスプレイの形状は、前記複数のセクションのうち少なくとも２つに対する前記異なるレベルの電気力を受けることにより生じる、
請求項１７に記載のプログラム。
【請求項１９】
フレキシブルディスプレイと、
前記フレキシブルディスプレイに結合された電気活性層であって、前記電気活性層の形状変化は前記フレキシブルディスプレイの形状変化を生じさせる、電気活性層と、
前記フレキシブルディスプレイの形状変化を生じさせるための、少なくとも部分的にはハードウェアロジックを含むロジックを有するコントローラと、
を備え、
前記形状変化は、１または複数の条件に基づいており、
前記１または複数の条件は、前記フレキシブルディスプレイで表示される画像コンテンツを含む、
システム。
【請求項２０】
フレキシブルディスプレイと、
前記フレキシブルディスプレイに結合された電気活性層であって、前記電気活性層の形状変化は前記フレキシブルディスプレイの形状変化を生じさせる、電気活性層と、
前記フレキシブルディスプレイの形状変化を生じさせるための、少なくとも部分的にはハードウェアロジックを含むロジックを有するコントローラと、
を備え、
前記形状変化は、１または複数の条件に基づいており、
前記１または複数の条件は、前記フレキシブルディスプレイが配置される環境を示すコンテキストデータを含む、システム。
【請求項２１】
前記コンテキストデータは、日時、場所、温度および環境光レベルのうち１つを含む、請求項２０に記載のシステム。
【請求項２２】
前記１又は複数の条件は、
１又は複数のユーザ設定、
所与のユーザプロファイルと関連する１又は複数のユーザ選好、
又は、これらの任意の組み合わせ
を含む
請求項１９から２１の何れか１つに記載のシステム。
【請求項２３】
前記電気活性層は、異なるレベルの電気力に基づき複数の湾曲を生じさせる、１又は複数の特性を含む、
請求項１９から２２のいずれか一項に記載のシステム。
【請求項２４】
前記電気活性層の前記１又は複数の特性が複数のセクションを含む、
請求項２３に記載のシステム。
【請求項２５】
前記複数のセクションのうち少なくとも２つが、異なるレベルの電気力を受ける、
請求項２４に記載のシステム。
【発明の詳細な説明】
【技術分野】
【０００１】
［関連出願の相互参照］
本願は、２０１４年１２月２３日に出願された米国特許出願第１４／５８１，４３８号の出願日の利益を主張する。同特許出願は参照により本明細書に組み込まれる。
【０００２】
本開示は、一般にフレキシブルディスプレイに関するものである。より具体的には、本明細書に説明される技術は電気活性材料をフレキシブルディスプレイに結合することを含む。
【背景技術】
【０００３】
コンピュータシステムにおいては、ディスプレイデバイスが様々な画像コンテンツの表示に用いられてもよい。いくつかの場合においては、湾曲したディスプレイデバイスが使用されてもよい。しかしながら、全ての消費者が湾曲したディスプレイを好む訳ではない。さらに、いくつかの場合においては、ディスプレイに所与の湾曲が、特定の条件、コンテキスト、環境のもとにおいて有用とは限らない。
【図面の簡単な説明】
【０００４】
【図１】フレキシブルディスプレイにおいて形状変化を生じさせるよう構成されたコンピューティングデバイスを示すブロック図である。
【０００５】
【図２】フレキシブルディスプレイおよび電気活性層を示すブロック図である。
【０００６】
【図３】電気活性層に結合したフレキシブルディスプレイの形状変化を示す状態図である。
【０００７】
【図４】複数のセクションを有するフレキシブルディスプレイおよび電気活性層の側面図である。
【０００８】
【図５】形状変化するフレキシブルディスプレイを形成するための方法を示すブロック図である。
【０００９】
【図６】フレキシブルディスプレイにおいて形状変化を実装するよう構成されたコンピュータ可読媒体の例を描写するブロック図である。
【００１０】
同様のコンポーネントおよび特徴を参照するべく、本開示および図面を通して同一の符号が用いられる。１００番台の符号は最初に図１に見られる特徴を指し、２００番台の符号は最初に図２に見られる特徴を指す、などである。
【発明を実施するための形態】
【００１１】
本明細書に開示される主題は、電気活性層に結合したフレキシブルディスプレイについての技術に関する。上述のように、湾曲したディスプレイデバイスが普及してきている。しかしながら、全ての消費者が湾曲したディスプレイを好むとは限らない。さらに、いくつかの条件においては、変更不可能な固定された湾曲を有するディスプレイが望ましくない場合もあり得る。本明細書に説明される技術は、結合されている電気活性層に電気力が加えられることにより、形状が動的に変化可能なフレキシブルディスプレイを含む。 
【００１２】
電気活性層は、サイズ又は形状が電場に応答する材料であってよい。電気活性層は、例えば電気活性ポリマー（ＥＡＰ）から構成されてよい。ＥＡＰは、電場により刺激された場合に、サイズ又は形状の変化を見せるポリマーである。
【００１３】
フレキシブルディスプレイは、フレキシブルであり、かつ電子活性層の形状変化に応答し得るどんなディスプレイも含んでよい。例えば、電流が電気活性層に供給されると、電気活性層は形状変化し得る。電子活性層の形状変化は、フレキシブルディスプレイの形状変化によってもたらされてよい。従って、フレキシブルディスプレイの湾曲が、ユーザ選好もしくは以下においてより詳細に説明される他の種類の条件に基づき、増大もしくは低減し得る。
【００１４】
本明細書に記載の態様は、概して、フレキシブルディスプレイに結合された単一の電気活性材料層について述べているものの、複数の層が実装されてもよい。いくつかの場合では、複数の層は、フレキシブルディスプレイと複数の電気活性層を組み合わせることにより、その強度を増大し得る。さらに、いくつかの場合では、様々な構成の複数の層を使用することにより形状形成効果が増大し得、これを本明細書にて考察する。 
【００１５】
図１は、フレキシブルディスプレイにおいて形状変化を生じさせるよう構成されたコンピューティングデバイスを示すブロック図である。コンピューティングデバイス１００は、例えば、中でもラップトップコンピュータ、デスクトップコンピュータ、ウルトラブック、タブレットコンピュータ、モバイルデバイス、もしくはサーバなどであってよい。コンピューティングデバイス１００は、格納された命令を実行するよう構成された処理デバイス１０２、並びに、非一時的コンピュータ可読媒体を含むストレージデバイス１０４やメモリデバイス１０６を含んでよい。
【００１６】
コンピューティングデバイス１００はまた、グラフィック処理ユニット（ＧＰＵ）１０８を含んでよい。実施形態において、ＧＰＵ１０８はオンボード又は処理デバイス１０２に埋め込まれている。ＧＰＵ１０８はキャッシュを含んでよく、また、コンピューティングデバイス１００内において任意の数のグラフィックオペレーションを実行するよう構成されてもよい。例えば、ＧＰＵ１０８は、グラフィックイメージ、グラフィックフレーム、又はビデオなどをレンダリング又は操作して、１又は複数のディスプレイデバイス１１０においてコンピューティングデバイス１００のユーザに対して表示するよう構成されてよい。画像データの表示は、ＧＰＵ１０８の１又は複数のエンジン１１４、ディスプレイドライバ１１６、およびディスプレイインターフェース１１８などにより実行されてよい。ディスプレイデバイス１１０は、外部ディスプレイデバイス、内部ディスプレイデバイス、又はこれらの任意の組み合わせとして実装されてもよい。 
【００１７】
いくつかの場合においては、エンジン１１４は、形状コントローラ１２０の命令により指示されるとおりに形状変化を実行するよう構成されてもよい。いくつかの場合においては、形状コントローラ１２０は少なくとも部分的にハードウェアロジックを有するロジックとして実装されてもよい。他の場合では、形状コントローラ１２０はディスプレイドライバ１１６のソフトウェア命令の一部として実装されてよい。ソフトウェア命令は、ＧＰＵ１０８のエンジン１１４、処理デバイス１０２、又は任意の他の適切なコントローラにより実行されるよう構成されてよい。さらに他の場合、形状コントローラ１２０は、少なくとも部分的にはハードウェアロジックを備え電子回路により実行される電子ロジック、集積回路により実行される回路などとして実装されてよい。形状コントローラ１２０は、独立して動作し、並行で、分散して、又は、より大きなプロセスの一部として動作するよう構成されてよい。さらに他の場合、形状コントローラ１２０はソフトウェア、ファームウェア、およびハードウェアロジックなどの組み合わせとして実装されてよい。
【００１８】
上述のように、ディスプレイデバイス１１０のうちの１又は複数はフレキシブルディスプレイ１２２を含んでよい。形状コントローラ１２０は、フレキシブルディスプレイ１２２に結合された電気活性層１２４に加えられる電気力の変化を調節することにより、フレキシブルディスプレイ１２２の形状を調節するよう構成されてよい。 
【００１９】
いくつかの場合においては、形状コントローラ１２０により実行される形状変化は、１又は複数の条件に基づく。例えば、形状コントローラ１２０は、１又は複数のユーザ設定に基づき、フレキシブルディスプレイ１２２の形状を調節してもよい。他の例としては、フレキシブルディスプレイ１２２の形状は、フレキシブルディスプレイ１２２において表示する画像コンテンツに基づき調節されてよい。このシナリオでは、いくつかの画像コンテンツは、特定の湾曲又は形状を有するフレキシブルディスプレイ１２２に表示されるよう構成されてよい。従って、形状コントローラ１２０は、電磁場の強さ、電流レベル、電圧レベルおよび環境光等のレベルの強さなどといった電気力特性を変化させることより、フレキシブルディスプレイの形状を調節するよう構成されてよい。 
【００２０】
いくつかの場合においては、形状コントローラ１２０は、所与のユーザの存在およびそのユーザプロファイルに格納されるユーザ選好に基づき、フレキシブルディスプレイ１２２の形状を変化するよう構成されてよい。いくつかの場合においては、フレキシブルディスプレイが配置される環境を示すコンテキストデータが、形状コントローラ１２０は所与の形状を修正するか又は維持するかのどちらを行うかの条件であってよい。コンテキストデータの例としては、日時、場所、および温度などが含まれてよい。 
【００２１】
以下により詳細に説明されるように、フレキシブルディスプレイの形状は、電気活性材料の特性に依存してよい。例えば、電気活性材料は離散セクションから構成されてよく、異なるセクションに異なる電流レベルが供給されフレキシブルディスプレイ１２２に１より多い湾曲を生じさせてよい。異なる抵抗および屈側性等の他の特性も実装されてよく、図４に関して以下でより詳細に説明される。
【００２２】
メモリデバイス１０６は、ランダムアクセスメモリ（ＲＡＭ）、リードオンリメモリ（ＲＯＭ）、フラッシュメモリ、又はその他の好適なメモリシステムを含み得る。例えば、メモリデバイス１０６はダイナミックランダムアクセスメモリ（ＤＲＡＭ）を含み得る。メモリデバイス１０６は、ランダムアクセスメモリ（ＲＡＭ）（例えば、スタティックランダムアクセスメモリ（ＳＲＡＭ）、ダイナミックランダムアクセスメモリ（ＤＲＡＭ）、ゼロキャパシタＲＡＭ、シリコン−酸化物−窒化物−酸化物−シリコンＳＯＮＯＳ、内蔵ＤＲＡＭ、拡張データ出力ＲＡＭ、ダブルデータレート（ＤＤＲ）ＲＡＭ、抵抗変化型メモリ（ＲＲＡＭ（登録商標））、パラメータランダムアクセスメモリ（ＰＲＡＭ）、リードオンリメモリ（ＲＯＭ）（例えば、マスクＲＯＭ、プログラマブルリードオンリメモリ（ＰＲＯＭ）、消去可能プログラマブルリードオンリメモリ（ＥＰＲＯＭ）、電気的消去可能プログラマブルリードオンリメモリ（ＥＥＰＲＯＭ）、など）、フラッシュメモリ、又はその他の好適なメモリシステムを含み得る。 
【００２３】
処理デバイス１０２は、格納された命令を実行するよう適合されたメインプロセッサであってよい。処理デバイス１０２は、シングルコアプロセッサ、マルチコアプロセッサ、コンピューティングクラスタ、又は任意の数のその他の構成であってよい。処理デバイス１０２は、複合命令セットコンピュータ（ＣＩＳＣ）又は縮小命令セットコンピュータ（ＲＩＳＣ）プロセッサ、ｘ８６命令セットと互換性のあるプロセッサ、マルチコア、又は、任意のその他のマイクロプロセッサ又は中央演算装置（ＣＰＵ）として実装されてよい。処理デバイス１０２は、システムバス１２６（例えばＰｅｒｉｐｈｅｒａｌ  Ｃｏｍｐｏｎｅｎｔ  Ｉｎｔｅｒｃｏｎｎｅｃｔ（ＰＣＩ）、Ｉｎｄｕｓｔｒｙ  Ｓｔａｎｄａｒｄ  Ａｒｃｈｉｔｅｃｔｕｒｅ  （ＩＳＡ）、ＰＣＩ−Ｅｘｐｒｅｓｓ、ＨｙｐｅｒＴｒａｎｓｐｏｒｔ（登録商標）、ＮｕＢｕｓ、など）を通じて、メモリ１０６とストレージデバイス１０４とを含む複数のコンポーネントに接続してよい。処理デバイス１０２はまた、バス１２６を通じて、ディスプレイドライバ１１６、及び、コンピューティングデバイス１００をデジタルディスプレイインターフェースを介してディスプレイデバイス１１０に接続するよう構成されるディスプレイインターフェース１１８とリンクしてもよい。ディスプレイデバイス１１０は、特に、コンピュータモニタ、テレビ、プロジェクタを含んでよく、これらはコンピューティングデバイス１００に接続される。
【００２４】
いくつかの場合においては、コンピューティングデバイス１００はモバイルコンピューティングデバイスであってよい。いくつかの場合においては、ディスプレイデバイス１１０はモバイルコンピューティングデバイスのモバイルディスプレイデバイスであってよい。
【００２５】
図１のブロック図は、コンピューティングデバイス１００が図１に示される要素の全てを含むことを示すことを意図しない。さらに、コンピューティングデバイス１００は、具体的な実装の詳細に応じて、図１に図示されていない任意の数の追加のコンポーネントを含んでよい。
【００２６】
図２は、フレキシブルディスプレイおよび電気活性層を示すブロック図である。ブロック図２００は、図１のフレキシブルディスプレイ１２２のようなフレキシブルディスプレイの側面図を示しており、それは図１の電気活性層１２４のような電気活性層に結合される。フレキシブルディスプレイ１２２および電気活性層１２４は、実現可能な任意の手段で結合してよい。例えば、フレキシブルディスプレイ１２２および電気活性層１２４は、接着材の使用による結合、ディスプレイデバイスのフレームによる結合、要所における機械的コネクタによる結合などにより、結合されてよい。
【００２７】
上述のように、図１の形状コントローラ１２０のようなコントローラは、電気活性層１２４へ電気力を加えることによりフレキシブルディスプレイの形状を変化させてもよい。得られる形状は、様々な入力に基づいて構成可能であってよい。例えば、形状コントローラ１２０は、ユーザの個人設定２０２に基づき、フレキシブルディスプレイ１２２を変形させてよい。他の場合では、形状コントローラ１２０は、日時、場所、および環境光レベルなどといったコンテキスト２０４に基づき、フレキシブルディスプレイ１２２を変形させてよい。いくつかの場合においては、形状コントローラ１２０はフレキシブルディスプレイ１２２、電気活性層１２４、又はこれらの任意の組み合わせの特性に関連するリミット２０６に基づき、フレキシブルディスプレイを変形させてよい。例えば、リミット２０６はフレキシブルディスプレイ１２２を破損させない最大の湾曲の傾きを含んでよい。
【００２８】
図３は、電気活性層に結合させたフレキシブルディスプレイの形状変化を示す状態図である。図３は、上述の図１のフレキシブルディスプレイ１２２および電気活性層１２４のようなフレキシブルディスプレイおよび電気活性層の側面図３００を示す。 
【００２９】
いくつかの場合において、電気力が電気活性材料１２２に加えられない時には、フレキシブルディスプレイは３０２に一般的に示されるようにフラットであってよい。電流に関連する電気力、といった電気力が電気活性材料１２４に加えられ、形状３０４は矢印３０６で一般的に示されるように変形し得る。形状３０４は、電気活性層１２４の特性に応じて、１つの湾曲であってよく、又は複数の湾曲を含んでよく、図４に関して以下でより詳細に説明される。
【００３０】
図４は複数のセクションを有するフレキシブルディスプレイおよび電気活性層の側面図である。上述のように、電気活性層１２４はフレキシブルディスプレイ１２２に複数の湾曲が生じることを可能にする特性を含んでよい。図４では、側面図４００は電気活性層１２４が複数のセクションを含み得ることを示す。複数のセクションは、異なるセクションが異なる電気力を受けるよう構成され得る、電気的に絶縁又は少なくとも電気的に十分分離していてよい。例えば、第１セクション４０２は、電気活性材料１２４の第２セクション４０４とは異なる電圧レベル又は異なる電流を有する電圧を受けるよう構成されてよい。 
【００３１】
図４は電気活性層１２４が離散セクションに区切られることを示すが、フレキシブルディスプレイが複数の湾曲のある形に形成されるのを可能とする特性は、離散セクションである必要はない。 例えば、いくつかの場合においては、電気活性層１２４の様々なエリアは、抵抗、屈側性、様々な種類の電気活性材料、又は電気活性層１２４の様々な箇所を様々な種類の力が変形することを可能にする、任意の他の電気活性コンポーネントもしくはデザイン、を含んでよい。 
【００３２】
図５は、形状が変化するフレキシブルディスプレイを形成する方法を示すブロック図である。方法５００は、ブロック５０２において、フレキシブルディスプレイを形成する段階を備える。ブロック５０４では、方法は電気活性層をフレキシブルディスプレイに結合する段階を含んでよい。電磁層は、電磁層の形状変化がフレキシブルディスプレイの形状変化を生じさせるようにフレキシブルディスプレイに結合される。
【００３３】
いくつかの場合においては、方法５００は、条件に基づいてフレキシブルディスプレイの形状変化を生じさせるよう、電気活性層をコントローラに結合する段階を含んでよい。例えば、条件は１又は複数のユーザ設定を含んでよい。いくつかの場合においては、条件は所与のユーザプロファイルと関連するユーザ選好を含んでよい。いくつかの場合においては、条件はフレキシブルディスプレイに表示される画像コンテンツを含んでよい。この場合では、フレキシブルディスプレイは表示性能を向上するために形状を変化させてよい。いくつかの場合においては、フレキシブルディスプレイと関連付けられたユーザの視野角が検出され、それに基づいてフレキシブルディスプレイは形状を変化させてよい。いくつかの場合においては、条件はフレキシブルディスプレイが配置される環境を示すコンテキストデータを含む。いくつかの場合においては、条件は本明細書に記載されている条件の任意の組み合わせを含む。いずれの場合も、フレキシブルディスプレイはコントローラによって動的に変化し得る形状を有する。 
【００３４】
上述のように、静電層は、複数の湾曲の発現を可能とする１又は複数の特性を含んでよい。いくつかの場合においては、方法５００は電気活性材料の複数のセクションとフレキシブルディスプレイの異なる領域とを結合する段階を含んでよい。いずれの場合も、特性によりフレキシブルディスプレイは多数の様々な異なる種類の形状へ変形することが可能となり得る。
【００３５】
図６はブロック図で、フレキシブルディスプレイにおける形状変化を実装するよう構成された、コンピュータ可読媒体の一例を描写したものである。コンピュータ可読媒体６００は、コンピュータバス６０４を介してプロセッサ６０２によりアクセスされてよい。いくつかの例においては、コンピュータ可読媒体６００は、非一時的コンピュータ可読媒体であってよい。いくつかの例においては、コンピュータ可読媒体はストレージ媒体であってよい。しかしながら、いずれの場合も、コンピュータ可読媒体は搬送波、信号などのような一時的な媒体は含まない。さらに、コンピュータ可読媒体６００は、現行の方法の段階の実施をプロセッサ６０２に指示する、コンピュータで実行可能な命令を含んでよい。 
【００３６】
本明細書にて説明される様々なソフトウェアコンポーネントは、図６に示されるように、有形で非一時的な、コンピュータ可読媒体６００に格納されてよい。例えば、変形アプリケーション６０６が、図１のフレキシブルディスプレイ１２２のようなフレキシブルディスプレイの形状変化を生じさせるように構成されてよい。 
【００３７】
例は、方法、その方法の行為を実行するための手段、マシンにより実行される場合にそのマシンに方法の行為を実行させる命令を含む少なくとも１つのマシン可読媒体などの主題を含んでよい。前述の例における詳細は、１又は複数の実施形態のどこでも使用され得ることを理解されたい。例えば、上記にて説明されたコンピューティングデバイスの任意選択的な特徴の全てもまた、本明細書に説明される方法、又はコンピュータ可読媒体のいずれに対しても実装されてよい。さらに、本明細書ではフロー図および／又は状態図を用いて実施形態を説明してきたかもしれないが、本技術は、これらの図面又は明細書中の対応する説明に限定されるものではない。例えば、フローは、図示の各ボックスや状態を通って、又は、本明細書中に図示および記載された順序と全く同一の順序で進行する必要はない。
【００３８】
例１は装置を含む。装置はフレキシブルディスプレイを備える。装置はまた、フレキシブルディスプレイに結合された電気活性層を備える。電気活性層における形状変化が、フレキシブルディスプレイにおける形状変化を生じさせる。
【００３９】
例１は以下に説明される場合の任意の組み合わせを含んでよい。いくつかの場合においては、条件に基づいてフレキシブルディスプレイの形状変化を生じさせるための、少なくとも部分的にはハードウェアロジックを含むロジックを有するコントローラ、をさらに備える装置。条件は、１又は複数のユーザ設定、所与のユーザプロファイルと関連するユーザ選好、フレキシブルディスプレイに表示される画像コンテンツ、フレキシブルディスプレイが配置される環境を示すコンテキストデータ、又はこれらの任意の組み合わせを含んでよい。 
【００４０】
いくつかの場合においては、電気活性層の１又は複数の特性が、異なるレベルの電気力に基づき複数の湾曲を生じさせる。電気活性材料の１又は複数の特性は、複数のセクションを含んでよい。複数のセクションのうち少なくとも２つが、異なるレベルの電気力を受けるよう構成されてよい。複数の湾曲を含むフレキシブルディスプレイの形状が、複数の電気活性セクションのうち少なくとも２つに対して異なるレベルの電気力を受けることにより生じる。 
【００４１】
例２は方法を含む。方法は、フレキシブルディスプレイを形成する段階と、電気活性層をフレキシブルディスプレイに結合する段階とを備え、電気活性層における形状変化はフレキシブルディスプレイにおける形状変化を生じさせる。 
【００４２】
例２は以下に説明される場合の任意の組み合わせを含む。いくつかの場合においては、方法は、条件に基づいてフレキシブルディスプレイの形状変化を生じさせるよう、電気活性層をコントローラに結合する段階を含む。条件は、１又は複数のユーザ設定、所与のユーザプロファイルと関連するユーザ選好、フレキシブルディスプレイに表示される画像コンテンツ、フレキシブルディスプレイが配置される環境を示すコンテキストデータ、又はこれらの任意の組み合わせを含んでよい。
【００４３】
いくつかの場合においては、電気活性層の１又は複数の特性が、異なるレベルの電気力に基づき複数の湾曲を生じさせる。電気活性材料の１又は複数の特性は、複数のセクションを含んでよい。複数のセクションのうち少なくとも２つが、異なるレベルの電気力を受けるよう構成されてよい。複数の湾曲を有するフレキシブルディスプレイの形状が、複数の電気活性セクションのうち少なくとも２つに対して異なるレベルの電気力を受けることにより生じる。 
【００４４】
例３はシステムを含む。フレキシブルディスプレイと、フレキシブルディスプレイに結合された電気活性層であって、電気活性層の形状変化はフレキシブルディスプレイの形状変化を生じさせ、フレキシブルディスプレイの形状変化を生じさせるための、少なくとも部分的にはハードウェアロジックを含むロジックを有するコントローラと、を備えるシステム。
【００４５】
例３は、以下に説明される場合の任意の組み合わせを含む。いくつかの場合においては、ロジックは処理デバイスにより実行される。条件は、１又は複数のユーザ設定、所与のユーザプロファイルと関連するユーザ選好、フレキシブルディスプレイに表示される画像コンテンツ、フレキシブルディスプレイが配置される環境を示すコンテキストデータ、又はこれらの任意の組み合わせを含んでよい。
【００４６】
いくつかの場合においては、電気活性層の１又は複数の特性が、異なるレベルの電気力に基づき複数の湾曲を生じさせる。電気活性材料の１又は複数の特性は、複数のセクションを含んでよい。複数のセクションのうち少なくとも２つが、異なるレベルの電気力を受けるよう構成されてよい。複数の湾曲を有するフレキシブルディスプレイの形状が、複数の電気活性セクションのうち少なくとも２つに対して、異なるレベルの電気力を受けることにより生じる。
【００４７】
例４は装置を含む。装置はフレキシブルディスプレイを備える。装置はまた、フレキシブルディスプレイに結合された電気活性層を備える。電気活性層における形状変化が、フレキシブルディスプレイにおける形状変化を生じさせる。
【００４８】
例４は、以下で説明される場合の任意の組み合わせを含んでよい。いくつかの場合においては、装置は条件に基づきフレキシブルディスプレイの形状変化を生じさせる手段をさらに備える。条件は、１又は複数のユーザ設定、所与のユーザプロファイルと関連するユーザ選好、フレキシブルディスプレイに表示される画像コンテンツ、フレキシブルディスプレイが配置される環境を示すコンテキストデータ、又はこれらの任意の組み合わせを含んでよい。
【００４９】
いくつかの場合においては、電気活性層の１又は複数の特性が、異なるレベルの電気力に基づき複数の湾曲を生じさせる。電気活性材料の１又は複数の特性は、複数のセクションを含んでよい。複数のセクションのうち少なくとも２つが、異なるレベルの電気力を受けるよう構成されてよい。複数の湾曲を有するフレキシブルディスプレイの形状が、複数の電気活性セクションのうち少なくとも２つに対して、異なるレベルの電気力を受けることにより生じる。
【００５０】
例５は方法を含む。方法は、フレキシブルディスプレイを形成する段階と、フレキシブルディスプレイに電気活性層を結合する段階とを備え、電気活性層における形状変化がフレキシブルディスプレイの形状変化を生じさせる。
【００５１】
例５は、以下で説明される場合の任意の組み合わせを含む。いくつかの場合においては、方法は、条件に基づいてフレキシブルディスプレイの形状変化を生じさせるよう、電気活性層をコントローラに結合する段階を備える。条件は、１又は複数のユーザ設定、所与のユーザプロファイルと関連するユーザ選好、フレキシブルディスプレイに表示される画像コンテンツ、フレキシブルディスプレイが配置される環境を示すコンテキストデータ、又はこれらの任意の組み合わせを含んでよい。
【００５２】
いくつかの場合においては、電気活性層の１又は複数の特性が、異なるレベルの電気力に基づき複数の湾曲を生じさせる。電気活性材料の１又は複数の特性は、複数のセクションを含んでよい。複数のセクションのうち少なくとも２つが、異なるレベルの電気力を受けるよう構成されてよい。複数の湾曲を有するフレキシブルディスプレイの形状が、複数の電気活性セクションのうち少なくとも２つに対して、異なるレベルの電気力を受けることにより生じる。
【００５３】
以上の説明および以下の特許請求の範囲では、「結合」および「接続」という用語とそれらの派生語が使用され得る。これらの用語は、互いに同義語として意図しているものではないことを理解されたい。むしろ、特定の実施形態では、「接続」という用語は、２又はそれより多くの要素が、互いに物理的又は電気的に直接接触していることを示すために用いられ得る。「結合」は、２又はそれより多くの要素が物理的又は電気的に直接接触していることを意味し得る。しかしながら、「結合」はまた２又はそれより多くの要素が、互いに直接接触していないが、なおも互いに協働又は相互作用することを意味し得る。
【００５４】
いくつかの実施形態は、ハードウェア、ファームウェア、及びソフトウェアのうちの１つ又はそれらの組み合わせにおいて実装されてよい。いくつかの実施形態はまた、マシン可読媒体に格納される命令として実装されてよく、これらは、コンピューティングプラットフォームによって読み出され、実行され、本明細書に説明される処理を実行してよい。マシン可読媒体は、マシン、例えばコンピュータによって読み取り可能な形で、情報を格納又は伝送するための任意のメカニズムを含んでよい。例えば、マシン可読媒体はリードオンリメモリ（ＲＯＭ）、ランダムアクセスメモリ（ＲＡＭ）、磁気ディスクストレージ媒体、光学ストレージ媒体、フラッシュメモリデバイスを含んでよい。 
【００５５】
実施形態は、実装態様又は実施例である。本明細書において「実施形態」、「一実施形態」、「いくつかの実施形態」、「様々な実施形態」又は「その他の実施形態」という記載は、当該実施形態に関連付けて説明する特定の特徴、構造又は特性が少なくともいくつかの実施形態に含まれているが、必ずしも本技術の全ての実施形態には含まれていないことを意味する。「実施形態」、「一実施形態」又は「いくつかの実施形態」という記載が繰り返し用いられるが、必ずしも全てが同じ実施形態を指すものではない。ある実施形態の要素又は態様は、他の実施形態の要素又は態様と組み合わせることが可能である。 
【００５６】
本明細書に記載および例示された全ての要素、特徴、構造、特性等が、特定の実施形態又は複数の実施形態に含まれる必要はない。本明細書で、要素、特徴、構造、又は特性を含む「可能性がある（ｍａｙ）」、「かもしれない（ｍｉｇｈｔ）」、「ことができる（ｃａｎ）」、又は「であり得る（ｃｏｕｌｄ）」と例えば記載された場合、その特定の要素、特徴、構造、又は特性が必ずしも含まれる必要はない。本明細書又は請求項が、「１つの」（「ａ」又は「ａｎ」）要素を参照している場合、要素が１つだけ存在することを意味しない。明細書又は特許請求の範囲における「追加（ａｎ  ａｄｄｉｔｉｏｎａｌ）」要素について言及する場合、１つより多い追加要素が存在することを除外するものではない。 
【００５７】
いくつかの実施形態は、特定の実装態様を参照して説明されてきたが、いくつかの実施形態に従って、他の実装形態も可能であることに留意されたい。さらに、図面に例示および／又は本明細書に記載の回路要素又は他の特徴の構成および／又は順序は、例示および記載の特定の方法に構成される必要はない。いくつかの実施形態に従って、他の多くの構成が可能である。 
【００５８】
図面に示す各システムにおいて、いくつかの場合における要素は、それぞれ、示された要素が異なり得、および／又は類似であり得ることを示すために、同じ参照符号又は異なる参照符号を有し得る。しかしながら、要素には十分な柔軟性があり異なる実装態様を有することができてよく、本開示で記載するいくつかの又は全てのシステムで機能することができてよい。図面に示される様々な要素は、同一であっても異なっていてもよい。どちらが第１の要素と呼ばれ、どちらが第２の要素と呼ばれるかは任意である。
【００５９】
本技術は、本明細書に列挙される特定の詳細に限定されない。実際、本開示の利益を受ける当業者は、前述の記載および図面からの他の多くの変形が本技術の範囲内でなされ得ることを理解するであろう。したがって、本技術の範囲を規定するのは、以下の特許請求の範囲であって、特許請求の範囲に対する任意の補正を含む。
（項目１）
フレキシブルディスプレイと、
前記フレキシブルディスプレイに結合された電気活性層とを備え、
前記電気活性層における形状変化が、前記フレキシブルディスプレイの形状変化を生じさせる、
装置。
（項目２）
条件に基づいて前記フレキシブルディスプレイの形状変化を生じさせる手段をさらに備える、
項目１に記載の装置。
（項目３）
前記条件は１又は複数のユーザ設定を含む、
項目２に記載の装置。
（項目４）
前記１又は複数のユーザ設定は所与のユーザプロファイルと関連するユーザ選好を備える、
項目３に記載の装置。
（項目５）
前記条件は、前記フレキシブルディスプレイに表示される画像コンテンツを含む、
項目２又は３に記載の装置。
（項目６）
前記条件は、前記フレキシブルディスプレイが配置される環境を示すコンテキストデータを含む、
項目２又は３に記載の装置。
（項目７）
前記電気活性層の１又は複数の特性は、異なるレベルの電気力に基づき複数の湾曲を生じさせる、
項目１から３のいずれか一項に記載の装置。
（項目８）
前記電気活性層の前記１又は複数の特性は複数のセクションを含む、
項目７に記載の装置。
（項目９）
前記複数のセクションのうち少なくとも２つは、異なるレベルの電気力を受ける、
項目８に記載の装置。
（項目１０）
複数の湾曲を含む前記フレキシブルディスプレイの形状は、前記複数のセクションのうち少なくとも２つに対する前記異なるレベルの電気力を受けることにより生じる、
項目９に記載の装置。
（項目１１）
フレキシブルディスプレイを形成する段階と、
前記フレキシブルディスプレイに電気活性層を結合する段階であって、前記電気活性層の形状変化が前記フレキシブルディスプレイの形状変化を生じさせる、段階と、
を備える、方法。
（項目１２）
条件に基づき、前記フレキシブルディスプレイの形状変化を生じさせるよう、前記電気活性層をコントローラに結合する段階を
さらに備える、
項目１１に記載の方法。
（項目１３）
前記条件が１又は複数のユーザ設定を含む、
項目１２に記載の方法。
（項目１４）
前記１又は複数のユーザ設定は、所与のユーザプロファイルと関連するユーザ選好を含む、
項目１２又は１３に記載の方法。
（項目１５）
前記条件は、前記フレキシブルディスプレイに表示される画像コンテンツを含む、
項目１２又は１３に記載の方法。
（項目１６）
前記条件は、前記フレキシブルディスプレイが配置される環境を示すコンテキストデータを含む、
項目１２又は１３に記載の方法。
（項目１７）
前記電気活性層の１又は複数の特性は、異なるレベルの電気力に基づき複数の湾曲を生じさせる、
項目１１から１３のいずれか一項に記載の方法。
（項目１８）
前記電気活性層の前記１又は複数の特性は、複数のセクションを含む、
項目１７に記載の方法。
（項目１９）
前記複数のセクションのうち少なくとも２つは、異なるレベルの電気力を受ける、
項目１８に記載の方法。
（項目２０）
複数の湾曲を含む前記フレキシブルディスプレイの形状は、前記複数のセクションのうち少なくとも２つに対する前記異なるレベルの電気力を受けることにより生じる、
項目１９に記載の方法。
（項目２１）
フレキシブルディスプレイと、
前記フレキシブルディスプレイに結合された電気活性層であって、前記電気活性層の形状変化は前記フレキシブルディスプレイの形状変化を生じさせ、
前記フレキシブルディスプレイの形状変化を生じさせるための、少なくとも部分的にはハードウェアロジックを含むロジックを有するコントローラと、
を備える
システム。
（項目２２）
前記形状変化は１又は複数の条件に基づいており、前記１又は複数の条件は、
１又は複数のユーザ設定、
所与のユーザプロファイルと関連する１又は複数のユーザ選好、
前記フレキシブルディスプレイで表示される画像コンテンツ、
前記フレキシブルディスプレイが配置される環境を示すコンテキストデータ、
又は、これらの任意の組み合わせ
を含む
項目２１に記載のシステム。
（項目２３）
前記電気活性層は、異なるレベルの電気力に基づき複数の湾曲を生じさせる、１又は複数の特性を含む、
項目２１又は２２に記載のシステム。
（項目２４）
前記電気活性層の前記１又は複数の特性が複数のセクションを含む、
項目２３に記載のシステム。
（項目２５）
前記複数のセクションのうち少なくとも２つが、異なるレベルの電気力を受ける、
項目２４に記載のシステム。
【図１】
2020173475.tif 000003
【図２】
2020173475.tif 000004
【図３】
2020173475.tif 000005
【図４】
2020173475.tif 000006
【図５】
2020173475.tif 000007
【図６】
2020173475.tif 000008
【外国語明細書】
2020173475000001.pdf